(57)【要約】【課題】通常の半田付け作業を行ってもシールドカバーの舌片と同軸ケーブルの外部導体との接続部分で半田がシールドカバーの基面より高く盛り上がることを防止することが可能な半田付け構造を有するアンテナ装置を提供する。【解決手段】アンテナ装置１は、電波を受信する受信手段６を有するアンテナ素子２と、アンテナ素子２からの入力を増幅する回路が形成された回路面３ａを有する回路基板３と、回路面３ａを覆って妨害波を遮蔽し接地されるシールドカバー４と、シールドカバー４の内側に挿入され回路基板３上の回路に駆動電力およびＧＮＤ電位を供給し回路からの信号を出力する同軸ケーブル５とを備え、シールドカバー４は、基面４ａと、同軸ケーブル５に向かって基面４ａから延びる舌片４ｂとを有し、舌片４ｂの同軸ケーブル側端部が屈折されて形成された接続片４ｄと同軸ケーブル５の外部導体５ｂとが半田付けされている。【選択図】  図１
2008060514.tif 000002
【特許請求の範囲】
【請求項１】
電波を受信する受信手段を有するアンテナ素子と、
前記アンテナ素子からの入力を増幅する回路が形成された回路面を有する回路基板と、
前記回路基板の前記回路面を覆って妨害波を遮蔽し、接地されるシールドカバーと、
前記シールドカバーの内側に挿入され、前記回路基板上の前記回路に駆動電力およびＧＮＤ電位を供給し、前記回路からの信号を出力する同軸ケーブルとを備え、
前記シールドカバーは、前記回路面に平行に配置される基面と、前記同軸ケーブルに向かって前記基面から延びる舌片とを有し、
前記舌片は、その同軸ケーブル側端部が屈折されて接続片が形成されており、前記接続片と前記同軸ケーブルの外部導体とが半田付けされていることを特徴とするアンテナ装置。
【請求項２】
前記接続片は、前記舌片が１箇所で屈折されて形成されていることを特徴とする請求項１に記載のアンテナ装置。
【請求項３】
前記接続片は、前記舌片が複数個所で屈折されて形成されていることを特徴とする請求項１に記載のアンテナ装置。
【請求項４】
平板状の前記接続片の表裏面のうち、前記同軸ケーブルに対向する面と反対側の面と前記同軸ケーブルの外部導体とが半田付けされていることを特徴とする請求項１から請求項３のいずれか一項に記載のアンテナ装置。
【請求項５】
平板状の前記接続片の表裏面のうち、前記同軸ケーブルに対向する面と前記同軸ケーブルの外部導体とが半田付けされていることを特徴とする請求項１から請求項３のいずれか一項に記載のアンテナ装置。
【発明の詳細な説明】
【技術分野】
【０００１】
本発明は、アンテナ装置に係り、特に、ＧＰＳ（Global Positioning System）や衛星ラジオ用等の電波を受信するために用いられるアンテナ装置に関する。
【背景技術】
【０００２】
測位システムとして普及している車載用のＧＰＳシステムのアンテナ装置や、米国で実用化されている車載型或いは家庭等での据え付け型の衛星ラジオ等に用いるアンテナ装置としては、例えば図７に例示するようなアンテナ装置が開発されている（例えば特許文献１〜３等参照）。
【０００３】
このアンテナ装置１００の例では、電波を受信するパッチ型の受信面１０１を有するアンテナ素子１０２の背面に回路基板１０３が貼付されている。回路基板１０３のアンテナ素子１０２と反対側の面にはアンテナ素子１０２からの入力を増幅する図示しない回路が形成されており、その回路が形成された面が略箱状のシールドカバー１０４により覆われている。
【０００４】
このシールドカバー１０４は金属製であり、外部からの妨害波を遮蔽するようになっている。また、略箱状のシールドカバー１０４の基面１０４ａはアンテナ素子１０２の受信面１０１に平行に配置されるようになっている。なお、図７ではアンテナ素子１０２の受信面１０１が実際よりも厚く表されている。
【０００５】
シールドカバー１０４の内側には、同軸ケーブル１０５が挿入されている。同軸ケーブル１０５の芯線１０５ａは回路基板１０３上の回路に半田付けされて接続され、回路に駆動電力を供給するとともにアンテナ素子１０２で受信され回路で増幅された信号を出力するようになっている。
【０００６】
また、シールドカバー１０４はＧＮＤも兼ねており、シールドカバー１０４には舌片１０４ｂがシールドカバー１０４の基面１０４ａから同軸ケーブル１０５側に屈曲されて形成されている。そして、舌片１０４ｂが同軸ケーブル１０５の外部導体１０５ｂに対して半田Ｈにより半田付けされて接続されることで、舌片１０４ｂを介してシールドカバー１０４がＧＮＤ電位とされ、シールドカバー１０４を介して回路基板１０３が接地されるようになっている。
【０００７】
従来から、シールドカバー１０４の舌片１０４ｂの構造として種々の構造が提案されている。例えば特許文献１には、図８に示すようにシールドカバー１０４の基面１０４ａに対して略垂直に屈曲され、その同軸ケーブル側端部が同軸ケーブル１０５の外部導体１０５ｂに沿う円弧状の切り欠きを有する舌片１０４ｂが示されている。
【０００８】
なお、図８では、図７のアンテナ装置１００を天地逆転した場合の回路基板１０３、シールドカバー１０４および同軸ケーブル１０５が示されており、シールドカバー１０４の舌片１０４ｂと同軸ケーブル１０５の外部導体１０５ｂとの半田付けの図示が省略されている。
【０００９】
また、特許文献４には、図示を省略するが、同様にシールドカバー１０４の基面１０４ａから同軸ケーブル１０５に向かって屈曲されるが、図８に示した舌片１０４ｂのように基面１０４ａから略垂直に屈曲されるのではなく斜め方向に屈曲されて形成される舌片が示されている。特許文献４では、この舌片で同軸ケーブルの外部導体を押さ付けるように外部導体に弾性接触させることで、舌片と外部導体とを半田付けすることなく接触させてシールドカバーを接地することが提案されている。
【特許文献１】特開平１１−７４６７１号公報
【特許文献２】特開２００１−６８１７５号公報
【特許文献３】特開２００５−１０９６８８号公報
【特許文献４】特開２００３−１７１５４号公報
【発明の開示】
【発明が解決しようとする課題】
【００１０】
しかしながら、前述した特許文献４に記載されたアンテナ装置における舌片構造では、例えばアンテナ装置が車載用である場合等には車両の振動等の影響で経時的に同軸ケーブルの外部導体に対する舌片の弾性接触の強度が低下して接触不良を生じる可能性がある。また、同軸ケーブルの筒状の外部導体と平板状の舌片と接続部分が点接触であるため、シールドカバーの接地の効率が低下する。
【００１１】
その点、特許文献１等に記載されたアンテナ装置では、舌片と同軸ケーブルの外部導体との接続部分を半田付けするため接続不良を生じることがなく、また、接続部分における舌片と外部導体との接続面積を大きくすることができるため、舌片を介したシールドカバーの接地効率が十分に確保される。
【００１２】
しかし、図７や図８に示した舌片１０４ｂでは、同軸ケーブル１０５の外部導体１０５ｂへの半田付けの際に接続部分の半田Ｈがシールドカバー１０４の基面１０４ａより高く盛り上がってしまう場合がある。このように半田Ｈが盛り上がった状態のアンテナ装置１００を例えばボトムカバー１０６を介して水平面上に設置した場合、図９に示すようにアンテナ素子１０２の受信面１０１が図中１点鎖線で示される水平面に対して傾くため、アンテナの指向性が悪化し、電波の受信効率が低下する。また、アンテナ装置１００の組立精度も低下する。
【００１３】
また、前述した高周波信号を受信し増幅するＧＰＳシステムや衛星ラジオ等のアンテナ装置では、回路基板の接地効率の向上が緊要の課題とされており、例えばボトムカバー１０６を金属製とし、ボトムカバー１０６とシールドカバー１０４の基面１０４ａとを面接触させて接地効率の向上を図ることも多い。
【００１４】
このようなアンテナ装置において舌片１０４ｂと同軸ケーブル１０５の外部導体１０５ｂとの接続部分で半田Ｈがシールドカバー１０４の基面１０４ａより高く盛り上がっていると、図９に示したようにシールドカバー１０４の基面１０４ａがボトムカバー１０６から浮き上がってボトムカバー１０６とシールドカバー１０４とが面接触できず、接地効率を向上させることができなくなってしまう。
【００１５】
このように、接続部分で半田が盛り上がると種々の問題を惹起するため、アンテナ装置の製造時に半田の盛り上がりが生じないようにすることが必要である。しかし、接続部分の半田付けを１つ１つ丁寧に行うのではアンテナ装置の生産効率が低下する。そのため、通常の半田付け作業を行っても接続部分で半田が盛り上がらない、あるいは盛り上がってもシールドカバー１０４の基面１０４ａより高くは盛り上がらないようにすることができる半田付け構造が求められる。
【００１６】
本発明は、このような事情に鑑みてなされたものであり、通常の半田付け作業を行ってもシールドカバーの舌片と同軸ケーブルの外部導体との接続部分で半田がシールドカバーの基面より高く盛り上がることを防止することが可能な半田付け構造を有するアンテナ装置を提供することを目的とする。
【課題を解決するための手段】
【００１７】
前記の問題を解決するために、請求項１に記載のアンテナ装置は、
電波を受信する受信手段を有するアンテナ素子と、
前記アンテナ素子からの入力を増幅する回路が形成された回路面を有する回路基板と、
前記回路基板の前記回路面を覆って妨害波を遮蔽し、接地されるシールドカバーと、
前記シールドカバーの内側に挿入され、前記回路基板上の前記回路に駆動電力およびＧＮＤ電位を供給し、前記回路からの信号を出力する同軸ケーブルとを備え、
前記シールドカバーは、前記回路面に平行に配置される基面と、前記同軸ケーブルに向かって前記基面から延びる舌片とを有し、
前記舌片は、その同軸ケーブル側端部が屈折されて接続片が形成されており、前記接続片と前記同軸ケーブルの外部導体とが半田付けされていることを特徴とする。
【００１８】
請求項２に記載の発明は、請求項１に記載のアンテナ装置において、前記接続片は、前記舌片が１箇所で屈折されて形成されていることを特徴とする。
【００１９】
請求項３に記載の発明は、請求項１に記載のアンテナ装置において、前記接続片は、前記舌片が複数個所で屈折されて形成されていることを特徴とする。
【００２０】
請求項４に記載の発明は、請求項１から請求項３のいずれか一項に記載のアンテナ装置において、平板状の前記接続片の表裏面のうち、前記同軸ケーブルに対向する面と反対側の面と前記同軸ケーブルの外部導体とが半田付けされていることを特徴とする。
【００２１】
請求項５に記載の発明は、請求項１から請求項３のいずれか一項に記載のアンテナ装置において、平板状の前記接続片の表裏面のうち、前記同軸ケーブルに対向する面と前記同軸ケーブルの外部導体とが半田付けされていることを特徴とする。
【発明の効果】
【００２２】
請求項１に記載の発明によれば、シールドカバーの舌片の同軸ケーブル側端部を屈折させて接続片が形成され、その接続片と同軸ケーブルの外部導体とが半田付けされるため、溶融半田の表面張力がこの接続片の屈折部で遮断されるため、溶融半田が舌片に沿って広がることが阻止される。
【００２３】
そのため、通常の半田付け作業を行っても半田が舌片の表面上を伝わってシールドカバーの基面よりも高く盛り上がることが確実に防止されるとともに、接続片と外部導体とを適切に半田付けして舌片を介してシールドカバーと同軸ケーブルとを確実に接続することが可能となる。
【００２４】
また、舌片と同軸ケーブルの外部導体との接続部分の半田の盛り上がりがなくなるため、図８に示したようなボトムカバーからの浮き上がりによるシールドカバーの傾きを回避することが可能となり、正常なアンテナの指向性を得ることができ、電波の受信効率が安定するとともに、アンテナ装置の組立精度を維持することが可能となる。
【００２５】
さらに、シールドカバーの基面とボトムカバーとの面接触により接地する場合には接地効率を非常に高い状態に維持することが可能となる。また、通常の半田付け作業で上記の半田付け構造が得られるから、アンテナ装置の生産効率を低下させることなく上記の効果を得ることが可能となる。
【００２６】
請求項２に記載の発明によれば、前記請求項１に記載の発明の効果に加え、シールドカバーの舌片を、シールドカバーの基面からの屈曲部と同軸ケーブル側端部との間の１箇所で屈折されるだけでよく、アンテナ装置の製造工程が複雑化させることがないため、舌片を屈折させてもアンテナ装置の生産効率が維持される。
【００２７】
請求項３に記載の発明によれば、前記請求項１に記載の発明の効果に加え、溶融半田の表面張力が接続片に最も近い屈折部で確実に遮断されて溶融半田が舌片に沿って広がることが阻止され、半田がシールドカバーの基面よりも高く盛り上がることを確実に防止することが可能となる。
【００２８】
請求項４に記載の発明によれば、前記各請求項に記載の発明の効果に加え、接続片の同軸ケーブルに対向する面と反対側の面に半田付けするように構成することで、容易に且つ確実に半田付けを行うことが可能となり、生産性の維持を図ることが可能となるとともに、シールドカバー等の高い接地効率が確実に維持される。
【００２９】
請求項５に記載の発明によれば、前記各請求項に記載の発明の効果に加え、接続片と同軸ケーブルの外部導体とを適切に半田付けして舌片を介してシールドカバーと同軸ケーブルとを確実に接続することが可能となるとともに、溶融半田の表面張力が接続片の屈折部で確実に遮断されて溶融半田が舌片に沿って広がることが確実に阻止され、屈曲部により半田がシールドカバーの基面よりも高く盛り上がることが確実に防止される。
【発明を実施するための最良の形態】
【００３０】
以下、本発明に係るアンテナ装置の実施の形態について、図面を参照して説明する。
【００３１】
本実施形態に係るアンテナ装置１は、図１および図２に示すように、アンテナ素子２、回路基板３、シールドカバー４および同軸ケーブル５等を備えている。なお、図２および後述する図３〜図６ではシールドカバー４や同軸ケーブル５等が図１のアンテナ装置１を天地逆転した状態で示されている。また、図２では後述するシールドカバー４の舌片４ｂと同軸ケーブル５の外部導体５ｂとの半田付けの図示が省略されている。
【００３２】
アンテナ素子２は、本実施形態では、セラミック製でやや肉厚の板状に形成されている。アンテナ素子２の一方側の面には、電波を受信する受信手段としてパッチ型の受信面６が貼付されている。なお、図１では、アンテナ素子２の受信面６が実際よりも厚く表されている。また、アンテナ素子２の受信面６と反対側の面には、図示しない金属薄膜状のＧＮＤパターンが入力ピン７およびその周囲の部分を除くほぼ全面に貼付されている。
【００３３】
アンテナ素子２の受信面６と反対の面側には、回路基板３が設けられている。回路基板３のアンテナ素子２側の面には、アンテナ素子２のＧＮＤパターンとは別体の図示しない金属薄膜状のＧＮＤパターンが入力ピン７およびその周囲の部分を除くほぼ全面に貼付されている。
【００３４】
本実施形態では、この回路基板３のＧＮＤパターンとアンテナ素子２のＧＮＤパターンとが例えば両面テープ等の接着部材で貼付されることでアンテナ素子２と回路基板３とが接着されるようになっている。また、アンテナ素子２自体のＧＮＤパターンとともに、回路基板３のＧＮＤパターンもアンテナ素子２のＧＮＤパターンとして機能するようになっている。
【００３５】
回路基板３のアンテナ素子２と反対側の面すなわち回路面３ａには、アンテナ素子２からの入力を増幅して出力する図示しない回路が形成されている。回路基板３には、適宜の位置に図示しない複数のスルーホールが形成されており、これらのスルーホールを介して回路面３ａ上の回路のＧＮＤと裏面のＧＮＤパターンとが接続されるようになっている。
【００３６】
アンテナ素子２と回路基板３の所定の位置には、入力ピン７がアンテナ素子２の受信面６や回路基板３の回路面３ａに垂直に貫挿されている。本実施形態では、入力ピン７は、半田付けにより受信面６や回路に電気的に接続されており、アンテナ素子２の受信面６で受信した電波信号を回路基板３の回路に入力させるようになっている。
【００３７】
回路基板３の回路面３ａ側には、略箱状に形成された金属製のシールドカバー４が回路面３ａを覆うように取り付けられており、シールドカバー４は、回路面３ａに到達する外部からの妨害波を遮蔽するようになっている。また、略箱状のシールドカバー４の基面４ａはアンテナ素子２の受信面６や回路基板３の回路面３ａに平行に配置されるようになっている。
【００３８】
図１の断面図に示されているように、シールドカバー４は、その一部が突起状に形成されて回路基板３に貫通されることで、回路基板３に対して位置決めされるようになっている。また、図２に示すように、本実施形態では、シールドカバー４は回路基板３の回路面３ａ上で半田付けにより回路のＧＮＤと電気的に接続されるようになっている。
【００３９】
シールドカバー４の内側には、同軸ケーブル５が挿入されている。同軸ケーブル５の芯線５ａは半田付けにより回路基板３の回路面３ａ上の回路に電気的に接続されており、回路に駆動電力を供給するとともにアンテナ素子２で受信され回路で増幅された信号を出力するようになっている。
【００４０】
また、シールドカバー４には、舌片４ｂがシールドカバー４の基面４ａから屈曲され同軸ケーブル５に向かって延びるように形成されている。
【００４１】
本実施形態では、舌片４ｂはシールドカバー４の基面４ａからの屈曲部と同軸ケーブル側端部との間の１箇所で屈折されており、舌片４ｂは、シールドカバー４の基面４ａから同軸ケーブル５に向かうように略直角に屈曲されて形成された平板状の基部４ｃと、舌片４ｂの同軸ケーブル側端部が屈折されて形成された平板状の接続片４ｄとを有するように構成されている。
【００４２】
接続片４ｄの末端部分には、同軸ケーブル５の外部導体５ｂに沿う円弧状の切り欠きが設けられており、この切り欠き部分を外部導体５に近接または当接させた状態で接続片４ｄと同軸ケーブル５の外部導体５ｂとが半田付けにより電気的に接続されるようになっている。
【００４３】
本実施形態では、図３に示すように舌片４ｂの基部４ｃと接続片４ｄとのなす角度をθとした場合、接続片４ｄが、屈折部Ｒで基部４ｃに対して
０°＜θ≦９０°    …（１）
の範囲内の角度θとなるようにシールドカバー４の外側に向けて屈折されている。
【００４４】
また、本実施形態では、図４に示すように、平板状の接続片４ｄの表裏面のうち、同軸ケーブル５に対向する面と反対側の面と同軸ケーブル５の外部導体５ａとが半田Ｈによる半田付けにより電気的に接続されている。
【００４５】
なお、図４および後述する図５、図６では模式的に舌片４ｂの接続片４ｄが外部導体５ｂの一部のみに半田付けされた状態が示されているが、実際には、外部導体５ｂの周方向のほぼ全域にわたって半田Ｈを浸潤させるようにして舌片４ｂと同軸ケーブルの外部導体５ｂとが半田付けされる。
【００４６】
同軸ケーブルの外部導体５ｂにはＧＮＤ電位が供給されるようになっており、前記半田付けによる接続により同軸ケーブル５の外部導体５ｂから舌片４ｂおよびシールドカバー４を介して回路基板３の回路にＧＮＤ電位が供給されるようになっている。
【００４７】
また、本実施形態では、図１に示すように、アンテナ装置１には、シールドカバー４の基面４ａの外側に金属製のボトムカバー８が設けられており、シールドカバー４の基面４ａとボトムカバー８とが面接触することで回路の接地効率のさらなる向上が図られるようになっている。
【００４８】
次に、本実施形態に係るアンテナ装置１の作用について説明する。
【００４９】
アンテナ装置１の回路基板３上の回路には、同軸ケーブル５の芯線５ａを介して駆動電力が供給される。アンテナ素子２の受信面６がＧＰＳ用や衛星ラジオ用の高周波の電波を受信すると、その電波信号が入力ピン７を介して回路基板３の回路に送信され、回路で増幅された電波信号が同軸ケーブル５の芯線５ａを通じて出力される。
【００５０】
回路基板３の回路は、それを覆う金属製のシールドカバー４により外部からの妨害波から遮蔽される。また、回路は、前述したようにそのＧＮＤがシールドカバー４に接続され、同軸ケーブル５の外部導体５ｂからシールドカバー４にＧＮＤ電位が供給されることにより接地される。このＧＮＤ電位は回路基板３のスルーホールを介して回路基板３のＧＮＤパターンにも供給され、回路基板３のＧＮＤパターンが接地されてアンテナ素子２にＧＮＤレベルが提供される。
【００５１】
その際、シールドカバー４の舌片４ｂの同軸ケーブル側端部に設けられた平板状の接続片４ｄの同軸ケーブル５に対向する面と反対側の面と同軸ケーブル５の外部導体５ａとが半田付けされ、外部導体５ｂの周方向のほぼ全域にわたって半田Ｈを浸潤させるようにして舌片４ｂと同軸ケーブルの外部導体５ｂとが半田付けされて接続される。このようにして舌片４ｂと外部導体５ｂとの接触面積をより大きくすることで舌片４ｂを介したシールドカバー４の接地効率が向上される。
【００５２】
また、この半田付けにおいては、溶融半田Ｈが外部導体５ａに浸潤するとともにその表面張力により接続片４ｄ上を拡散していくが、屈折部４ｄを舌片４ｂの基部４ｃに対して屈折させて形成したことで、溶融半田Ｈの表面張力が舌片４ｂの基部４ｃと接続片４ｄとの屈折部Ｒで遮断される。そのため、溶融半田Ｈが舌片４ｂの基部４ｃ方向に広がることが有効に阻止され、溶融半田Ｈが基部４ｃの表面上を伝わってシールドカバー４の基面４ａよりも高く盛り上がることが防止される。
【００５３】
この場合、半田付けの際に、通常に半田付け作業を行っても溶融半田Ｈの屈性部４ｄでの拡散は屈折部Ｒで確実に止まる。そのため、半田付けにおいて特に作業を丁寧に行ったり特殊な手法を用いて半田付けを行う必要はなく、通常の半田付け作業で十分に溶融半田Ｈの舌片４ｂの基部４ｃへの拡散を阻止でき、半田Ｈの盛り上がりが確実に防止される。
【００５４】
なお、本実施形態のように、アンテナ装置１の底部に金属製のボトムカバー８を設け、シールドカバー４の基面４ａとボトムカバー８とを面接触させてシールドカバー４の接地させることで、回路の接地効率がさらに向上される。
【００５５】
以上のように、本実施形態に係るアンテナ装置１によれば、シールドカバー４の舌片４ｂの同軸ケーブル側端部を屈折させて接続片４ｄを形成し、その接続片４ｄと同軸ケーブル５の外部導体５ｂとが半田付けされるため、溶融半田Ｈの表面張力がこの接続片４ｄと舌片４ｂの基部４ｃとの屈折部Ｒで遮断されて溶融半田Ｈが基部４ｃ側への拡散が阻止される。
【００５６】
そのため、通常の半田付け作業を行っても半田Ｈが舌片４ｂの基部４ｃの表面上を伝わってシールドカバー４の基面４ａよりも高く盛り上がることが確実に防止されるとともに、接続片４ｄと外部導体５ｂとを適切に半田付けして舌片４ｂを介してシールドカバー４と同軸ケーブル５とを確実に接続することが可能となる。
【００５７】
また、舌片４ｂと同軸ケーブル５の外部導体５ｂとの接続部分の半田Ｈの盛り上がりがなくなるため、図８に示したようなボトムカバーからの浮き上がりによるシールドカバーの傾きを回避することが可能となり、正常なアンテナの指向性を得ることができ、電波の受信効率が安定し、またアンテナ装置１の組立精度を維持することが可能となる。
【００５８】
さらに、本実施形態のようにシールドカバー４の基面４ａとボトムカバー８との面接触により接地する場合には接地効率を非常に高い状態に維持することが可能となる。また、通常の半田付け作業で上記の半田付け構造が得られるから、アンテナ装置１の生産効率を低下させることなく上記の効果を得ることが可能となる。
【００５９】
一方、前述したように、シールドカバー４の舌片４ｂを、シールドカバー４の基面４ａからの屈曲部と同軸ケーブル側端部との間の１箇所で屈折されるだけでよく、アンテナ装置１の製造工程を複雑化させることがないため、舌片４ｂを屈折させてもアンテナ装置１の生産効率が維持される。
【００６０】
また、図４に示したように、平板状の接続片４ｄの同軸ケーブル５に対向する面と反対側の面に半田付けするように構成すれば、図中上方から半田付けを行うことができ、半田付けを非常に容易に行うことが可能となる。
【００６１】
なお、舌片４ｂの接続片４ｄの屈折のさせ方や接続片４ｄの半田付けを行う面については、本実施形態の場合に限定されない。
【００６２】
例えば、図５に示すように、舌片４ｂの基部４ｃに対して接続片４ｄを前記角度θが
９０°＜θ≦１８０°    …（２）
の範囲内の角度θとなるようにシールドカバー４の外側に向けて大きく屈折させ、平板状の接続片４ｄの表裏面のうち同軸ケーブル５に対向する面と同軸ケーブル５の外部導体５ａとを半田付けすることでシールドカバー４と同軸ケーブル５とを接続するように構成することも可能である。
【００６３】
このように構成すれば、接続片４ｄと外部導体５ｂとを適切に半田付けして舌片４ｂを介してシールドカバー４と同軸ケーブル５とを確実に接続することが可能となり前記実施形態と同様の効果が得られるとともに、溶融半田Ｈの表面張力が接続片４ｄと舌片４ｂの基部４ｃとの屈折部Ｒで確実に遮断されて溶融半田Ｈが基部４ｃ側に広がることが阻止される。そのため、屈曲部４ｄにより半田Ｈがシールドカバー４の基面４ａよりも高く盛り上がることを確実に防止することが可能となる。
【００６４】
また、例えば図６に示すように、舌片４ｂをシールドカバー４の基面４ａからの屈曲部と同軸ケーブル側端部との間の複数箇所で屈折するように形成し、その同軸ケーブル側端部である接続片４ｄと同軸ケーブル５の外部導体５ｂとを半田付けするように構成することも可能である。
【００６５】
このように構成すれば、接続片４ｄと外部導体５ｂとを適切に半田付けして舌片４ｂを介してシールドカバー４と同軸ケーブル５とを確実に接続することが可能となり前記実施形態と同様の効果が得られるとともに、溶融半田Ｈの表面張力が複数の屈曲部のうち最も接続片４ｄ側の屈折部Ｒで確実に遮断されて溶融半田Ｈが基部４ｃ側に広がることが阻止される。そのため、半田Ｈがシールドカバー４の基面４ａよりも高く盛り上がることを確実に防止することが可能となる。
【００６６】
なお、本実施形態および前記変形例では、アンテナ素子２の表面にＧＰＳ用や衛星ラジオ用の高周波の電波を受信するパッチ型の受信面６を備えたアンテナ装置１について述べたが、前述したように本発明のアンテナ装置はシールドカバーの舌片の構造に特徴があり、アンテナ素子の構成はパッチ型の受信面を備えた構成に限定されない。
【図面の簡単な説明】
【００６７】
【図１】本実施形態に係るアンテナ装置の構成を示す概略断面図である。
【図２】図１のアンテナ装置を天地逆転した状態のシールドカバーや同軸ケーブル等を表す斜視図である。
【図３】シールドカバーの舌片の基部と接続片との角度を説明する模式図である。
【図４】本実施形態に係るシールドカバーの舌片と同軸ケーブルの外部導体との半田付け構造を示す拡大図である。
【図５】舌片と外部導体との半田付け構造の変形例を示す拡大図である。
【図６】舌片と外部導体との半田付け構造の変形例を示す拡大図である。
【図７】従来のアンテナ装置の構成を示す概略断面図である。
【図８】図７のアンテナ装置を天地逆転した状態のシールドカバーや同軸ケーブル等を表す斜視図である。
【図９】半田の盛り上がりによるシールドカバーの浮き上がりを説明する概略断面図である。
【符号の説明】
【００６８】
１    アンテナ装置
２    アンテナ素子
３    回路基板
３ａ  回路面
４    シールドカバー
４ａ  基面
４ｂ  舌片
４ｄ  接続片
５    同軸ケーブル
５ｂ  外部導体
６    受信面（受信手段）
【図１】
2008060514.tif 000003
【図２】
2008060514.tif 000004
【図３】
2008060514.tif 000005
【図４】
2008060514.tif 000006
【図５】
2008060514.tif 000007
【図６】
2008060514.tif 000008
【図７】
2008060514.tif 000009
【図８】
2008060514.tif 000010
【図９】
2008060514.tif 000011